(57)【要約】【課題】顔画像と手に属する生体情報を取得する間に、利用者がすりかわることを防止すると共に、利用者の手に属する生体情報の不正取得をも防止する。【解決手段】デジタルカメラ２４により利用者の顔画像を撮影する。その後、指紋取得部４０により利用者１４の指紋データを取得する。撮影室１２の側壁７１には、広角カメラである監視カメラ７４が配設されている。指紋データを取得する際には、監視カメラ７４により、利用者１４の手および利用者１４の顔を同時かつともに撮影した監視画像を取得し、コントローラ３３に出力する。この監視画像は所定期間保存される。【選択図】図１
2007102536.tif 000002
【特許請求の範囲】
【請求項１】
利用者の顔画像および前記利用者の手に属する生体情報を取得する顔画像取得方法において、
前記利用者の手に属する生体情報を取得する際に、前記利用者の手および前記利用者の顔を同時かつともに撮影した監視画像を取得することを特徴とする顔画像取得方法。
【請求項２】
利用者の顔画像を取得する顔画像取得手段と、前記利用者の手に属する生体情報を取得する生体情報取得手段とを有する顔画像取得装置において、
前記利用者の手に属する生体情報を取得する際に、前記利用者の手および前記利用者の顔を同時かつともに撮影した監視画像を取得する監視画像取得手段を備えたことを特徴とする顔画像取得装置。
【請求項３】
前記利用者の手の部分の拡大画像を取得する拡大画像取得手段をさらに有することを特徴とする請求項２記載の顔画像取得装置。
【請求項４】
前記顔画像取得手段が、前記監視画像取得手段を兼ねるものである事を特徴とする請求項２または３記載の顔画像取得装置。
【請求項５】
前記監視画像取得手段により撮影された監視画像を所定期間の間保存する監視画像保存手段を備えていることを特徴とする請求項２から４いずれか１項記載の顔画像取得装置。
【請求項６】
前記監視画像保存手段に保存される前記監視画像は、前記利用者の顔部分の画像が予め除かれた画像であることを特徴とする請求項５記載の顔画像取得装置。
【発明の詳細な説明】
【技術分野】
【０００１】
本発明は、主として身分証明書や磁気カードなどの個人に帰属する書札等に添付する顔画像を取得する顔画像取得方法および装置に関するものであり、より詳細には利用者の顔画像の取得に加え、利用者の手に属する生体情報を取得する機能を有する顔画像取得方法および装置に関するものである。
【背景技術】
【０００２】
現在、街頭には、カメラにより被写体の撮影を行う無人の顔画像取得装置が設置されている。このような顔画像取得装置は、撮影した顔画像を普通紙やシールなどの紙に印刷して利用者に提供する。
【０００３】
また、顔画像の撮影とともに、指紋などの生体情報を取得可能な顔画像取得装置も提案されている（特許文献１および特許文献２参照）。これらの顔画像取得装置では、顔画像と生体情報を取得する間に、利用者がすりかわることを防止するために、生体情報の取得と同時に、あるいは生体情報の取得の前後に、利用者の顔を含む監視画像を撮影している。
【特許文献１】特開２００３−２０８４０７号公報
【特許文献２】特開２００５−１９６３８８号公報
【発明の開示】
【発明が解決しようとする課題】
【０００４】
しかしながら、上記特許文献１または特許文献２に記載されている顔画像取得装置では、利用者のすりかわりは防止できるものの、利用者は本人であって、指紋等の生体情報のみ不正に取得すること、例えばゼラチンを用いた人造指や、指紋付指カバーを付けた指から指紋を取得することは防止できないという問題がある。
【０００５】
本発明は、上記の事情に鑑みてなされたものであり、利用者のすりかわりと共に、利用者の手に属する生体情報の不正取得をも防止できる顔画像取得方法および装置を提供することを目的とするものである。
【課題を解決するための手段】
【０００６】
本発明の顔画像取得方法は、利用者の顔画像および前記利用者の手に属する生体情報を取得する顔画像取得方法において、
前記利用者の手に属する生体情報を取得する際に、前記利用者の手および前記利用者の顔を同時かつともに撮影した監視画像を取得することを特徴とするものである。
【０００７】
また、本発明の顔画像取得装置は、利用者の顔画像を取得する顔画像取得手段と、前記利用者の手に属する生体情報を取得する生体情報取得手段とを有する顔画像取得装置において、
前記利用者の手に属する生体情報を取得する際に、前記利用者の手および前記利用者の顔を同時かつともに撮影した監視画像を取得する監視画像取得手段を備えたことを特徴とするものである。
【０００８】
なお、ここで「手に属する生体情報」とは、指紋、嘗紋、嘗形、指静脈パターン、手のひら静脈パターンなどである。また「手に属する生体情報を取得する際」とは、手に属する生体情報の取得と同時、あるいは取得の前後を意味している。さらに、「前記利用者の手および前記利用者の顔を同時かつともに撮影した監視画像」とは、一枚の画像内に利用者の手および前記利用者の顔の画像を含む監視画像に加え、利用者の手および前記利用者の顔の画像を連続的に撮影した画像をも含むものである。すなわち、手の画像の撮影と顔の画像の撮影を、カメラをパンさせつつ、連続的に撮影した動画像等も含むものである。
【０００９】
また、本発明の顔画像取得装置は、前記利用者の手の部分の拡大画像を取得する拡大画像取得手段をさらに有するものであってもよい。このような拡大画像取得手段としては、種々の構成が考えられる。具体的には、例えば監視画像撮影用のカメラとは別個に、利用者の手の部分に配置されたカメラであってもよいし、あるいは手を撮影する部分のレンズが拡大レンズからなる監視画像撮像用カメラ等であってもよい。あるいは、監視画像撮影用のカメラで取得した画像の中から、手の部分のみを拡大して拡大画像を生成する画像処理部であってもよい。
【００１０】
前記顔画像取得手段は、前記監視画像取得手段を兼ねるものであってもよい。
【００１１】
また、前記監視画像取得手段により撮影された監視画像を所定期間の間保存する監視画像保存手段を備えていてもよい。
【００１２】
さらに、前記監視画像保存手段に保存される前記監視画像は、前記利用者の顔部分の画像が予め除かれた画像であってもよい。
【発明の効果】
【００１３】
本発明の顔画像取得方法および装置は、前記利用者の手に属する生体情報を取得する際に、前記利用者の手および前記利用者の顔を同時かつともに撮影した監視画像を取得するので、利用者のすりかわりと共に、手に属する生体情報の不正取得をも防止できる。
【００１４】
また、前記利用者の手の部分の拡大画像を取得する拡大画像取得手段をさらに有する場合には、より確実に手に属する生体情報の不正取得を防止することができる。
【００１５】
また、顔画像取得手段が、監視画像取得手段を兼ねるものであれば、１つの顔画像取得手段で、顔画像と監視画像を取得でき、装置の構成が簡易化できる。
【００１６】
さらに、監視画像取得手段により撮影された監視画像を所定期間の間保存する監視画像保存手段を備えていれば、画像取得後に必要に応じて、監視画像を見ることができる。
【００１７】
前記監視画像保存手段に保存される前記監視画像は、前記利用者の顔部分の画像が予め除かれた画像であれば、監視画像から個人の顔画像が流出することを防止することができる。
【発明を実施するための最良の形態】
【００１８】
以下、図面を参照して本発明の第１の実施形態である顔画像取得装置について説明する。図１は本発明の第１の実施の形態である顔画像取得装置１０の概略構成図である。本顔画像取得装置１０は、全体的に直方体の筐体を有し、大きさは高さ２．０ｍ、幅１．４ｍ程度である。一例として、図２に装置１０の外観を示す。
【００１９】
図１に示すように、装置１０は幅７５ｃｍ程度の撮影室１２を含み、利用者１４は撮影室１２に設けられた椅子１６に座って撮影を行う。
【００２０】
顔画像取得装置１０は撮影室１２以外の部分が上段１８と、中段２０と、机部２１を有する下段２２とに分かれている。中段２０にはデジタルカメラ２４およびコントローラ３３が設置されている。コントローラ３３は、デジタルカメラ２４の制御を含む、顔画像取得装置１０全体の動作を制御するものである。デジタルカメラ２４のレンズの画角αは広く、撮影室１２の背面壁２７の高さ６０ｃｍ〜１７０ｃｍ程度の範囲をカバーする。したがって、利用者１４が椅子１６に座った時、少なくとも頭部１５および胸部１７を確実にカバーでき、利用者１４の身長に依存しない撮影が可能である。
【００２１】
上段１８には照明装置２５、ＣＲＴディスプレイ２６およびスピーカ２９が配置されている。照明装置２５、ＣＲＴディスプレイ２６およびスピーカ２９はコントローラ３３に接続されている。
【００２２】
ＣＲＴディスプレイ２６は、コントローラ３３から出力される動画像および静止画像を表示可能である。ディスプレイ２６の表示画面３０は下方向に向けられていて、その表示内容は、上段１８と中段２０との間の中空な境界面３２を通して、中段２０のハーフミラー３４に投影される。
【００２３】
カメラ２４と利用者１４との間に配置された傾斜したハーフミラー３４によれば、ディスプレイ２６および撮影室１２からの光の一部は相互に反射される。一方、撮影室１２からの光の一部は透過してカメラ２４に向かうが、カメラ２４側からの光は遮断され、撮影室１２に届かない。したがって、利用者１４は、ガラス窓３５を通してハーフミラー３４上の投影内容を確認できるが、カメラ２４は利用者１４からは見えない。しかし、撮影室１２からハーフミラー３４を透過してカメラ２４に到達する光によって、カメラ２４は利用者１４の画像を撮影可能である。
【００２４】
照明装置２５は撮影に十分な明るさを保つために撮影室１２を照らす照明であり、スピーカ２９は利用者１４に対して操作指示を音声により伝える装置である。
【００２５】
下段２２には、指紋取得部４０と、操作用のタッチパネル４１と、カードライタ４２と、プリンタ４３と、モデム４４とが設けられている。指紋取得部４０と、操作用のタッチパネル４１と、カードライタ４２と、プリンタ４３と、モデム４４とはコントローラ３３に接続されている。なお、指紋取得部４０と、操作用のタッチパネル４１と、カードライタ４２とは、机部２１に収容されている。
【００２６】
指紋取得部４０は、半導体方式の指紋取得部であり、また所定の面積以上の領域に指が接触した場合に、自動的に指紋のデジタルデータを取得するように構成されている。
【００２７】
タッチパネル４１は、利用者１４の操作に基づく信号をコントローラ３３に出力する装置である。タッチパネル４１は、利用者の名前や、住民票コード番号あるいはパスポート番号等の個人情報を入力する情報入力画面と、利用者による操作を入力する操作入力画面とを切り換えて表示可能である。情報入力画面では、キーボードが表示され、操作入力画面では、図３に示すように顔写真の撮影を指示する撮影ボタン４８と、撮影された顔写真の中から後述する記録媒体に書き込む顔写真を選択する選択ボタン４９とが表示される。なお、タッチパネル４１の撮影ボタン４８が表示されている部位には、半導体方式の指紋取得部５０が組み込まれ、操作入力画面が表示されている場合のみ、利用者が撮影ボタン４８にタッチしたときに、自動的に指紋を取得する。
【００２８】
カードライタ４２は、利用者１４の持参する記録媒体５１用の挿入口５２を有し、挿入された媒体に書き込み可能な装置である。記録媒体５１としては、フレキシブルディスク、スマートメディア（登録商標）、コンパクトフラッシュ（登録商標）、メモリースティック（登録商標）、ＳＤ（Ｓｅｃｕｒｅ  Ｄｉｇｉｔａｌ）メモリカード（登録商標）、ｘＤ（Ｅｘｔｒｅｍｅ  Ｄｉｇｉｔａｌ）ピクチャーカード（登録商標）等を用いることができる。
【００２９】
カードライタ４２は、カメラ２４によって撮影された顔のデジタル画像データおよび指紋取得部４０により取得された左右の人差し指の指紋データを、記録媒体５１に書き込む。
【００３０】
プリンタ４３は、カメラ２４の撮影した画像を写真としてプリント可能である。プリントされた写真は、排出口５３から排出される。
【００３１】
モデム４４は、利用者が希望する場合には、利用者の顔のデジタル画像データを通信回線６２を介して所定の拠点、例えば管理センター６６へ転送する転送手段である。
【００３２】
図１では図示の便宜上、装置１０の上段１８、中段２０および下段２２の内部を可視化して示しているが、実際は、指紋取得部４０、タッチパネル４１、カードライタ４２の挿入口５２およびプリンタ４３の排出口５３以外は、壁によって隠されていて、利用者１４からは見えない。また、下段２２は、実際はさらに、料金投入口や返金口などの機構も備えているが、これらは図示を省略している。
【００３３】
装置１０の側壁７１には、利用者１４を継続的に撮影する監視用カメラ７４が備えられている。この監視用カメラ７４は、レンズの画角が広く、利用者の手と顔を同時かつともに撮影した監視画像を取得することができる。なお、監視カメラ７４は、指紋取得部４０の真横から１０ｃｍほど上の側壁７１に、指紋取得部４０と利用者の顔を撮影できるような配置で取り付けられている。監視カメラ７４のレンズの焦点距離は、下方では焦点距離が短く、上方向では焦点距離が長くなるように、徐々に焦点距離が変えられている。また、監視カメラ７４としては、例えば赤外線ＬＥＤ（Ｌｉｇｈｔ−Ｅｍｉｔｔｉｎｇ  Ｄｉｏｄｅ）カメラを用いるとよい。監視用カメラ７４で撮影された監視画像は、コントローラ３３に出力される。
【００３４】
コントローラ３３では、監視用カメラ７４で撮影された画像の内、指紋データを取得した時の静止監視画像データを、利用者の個人情報、認証用指紋データ、顔画像取得装置１０の固有識別番号あるいは撮影日時データと対応させて、保存する。また、静止監視画像データは、利用者の個人情報、認証用指紋データ、顔画像取得装置１０の固有識別番号あるいは撮影日時データと対応させて、モデム４４および通信回線６２を介して遠方の管理センター６６に送信してもよい。なお、静止監視画像データとしては、全体の画像に加え、手を撮影した部分の画像を拡大した画像を含むものであってもよい。
【００３５】
図４は図１のデジタルカメラ２４およびコントローラ３３の機能ブロック図である。光学レンズ８０は被写体１４からの光を受けて被写体像を撮像部８１の受光面へ結像する。撮像部８１としては、例えば、ＣＣＤ（Ｃｈａｒｇｅ  Ｃｏｕｐｌｅｄ  Ｄｅｖｉｃｅ）を使用可能である。撮像部８１で光電変換された画像信号はビデオ出力部８２に出力される。
【００３６】
ビデオ出力部８２は、通常、撮像部８１からの画像信号をそのまま出力端子を介してＣＲＴディスプレイ２６に送る。したがって、利用者１４の動画像は、カメラ２４に取り込まれて出力され、ＣＲＴ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００３７】
撮像部８１から出力される画像信号は、Ａ／Ｄ変換器（Ａｎａｌｏｇｕｅ／Ｄｉｇｉｔａｌ  Ｃｏｎｖｅｒｔｅｒ；  ＡＤＣ）８３にも出力可能である。顔画像の撮影時には、Ａ／Ｄ変換器８３は、アナログ信号である画像信号をデジタル画像信号に変換し、メモリ８４へ保存する。
【００３８】
ＣＰＵ（Ｃｅｎｔｒａｌ  Ｐｒｏｃｅｓｓｉｎｇ  Ｕｎｉｔ）８５は、ＡＤＣ８３、メモリ８４およびＤ／Ａ変換機（Ｄｉｇｉｔａｌ／Ａｎａｌｏｇｕｅ  Ｃｏｎｖｅｒｔｅｒ；  ＤＡＣ）８６に接続され、これらのユニットを制御する。撮影時には、ＣＰＵ８５は、ＡＤＣ８３へ変換命令を発信し、動画像信号を１フレーム単位でＡ／Ｄ変換させる。ＣＰＵ８５は、デジタル化されメモリ８４に記録されたデジタル画像信号を取り込み、様々な画像処理を行って、メモリ８４に再格納することが可能である。
【００３９】
ＣＰＵ８５は、デジタルカメラ２４で撮影された利用者１４の顔画像データに、タッチパネル４１から入力された個人情報データ、例えば、利用者の名前や、住民票コード番号あるいはパスポート番号等を対応させる。また、CPU８５は、デジタル画像データに、認証用指紋データおよび本顔画像取得装置１０の固有識別番号および撮影日時データも対応させる。
【００４０】
対応のさせ方はあらゆる方法で行ってよく、例えば個人情報データを用いて顔画像データに名前を付けることができる。あるいはテキストデータをデジタル画像データのヘッダ部分に記録して、一体的に扱い、メモリ８４に格納してもよい。このようにしてデジタル画像データに対応付けられた個人情報データによって、「誰に帰属するデータか」の識別が可能なデジタル画像データを作成することができる。
【００４１】
ＣＰＵ８５は、画像処理を行ったデジタル静止画像を出力し、ＤＡＣ８６によりＤ／Ａ変換を行ってビデオ出力部８２に送ることができる。このとき、ビデオ出力部８２を制御し、ビデオスルーされているアナログ動画像信号に代えて、アナログ化された静止画像信号出力させることができる。これにより、撮影され、画像処理が施された静止画像を利用者に示すことができる。また、アナログ静止画像信号および動画像信号はカラーおよび白黒のいずれの形式でも出力することができる。
【００４２】
ＣＰＵ８５は、画像処理を施した撮影画像を自由にレイアウトしてＣＲＴ２６に表示させることができる。また、画像の出力とともに、メモリ８４に予め用意された複数の静止画像をコマ送りに表示して簡単なアニメーションをＣＲＴ２６に表示させることもできる。さらに、ビデオ出力部８２を介した自由なグラフィック出力が可能であり、利用者１４に対するメッセージをＣＲＴ２６に表示させることができる。
【００４３】
ＣＰＵ８５はスピーカ２９にも接続され、予め用意された音声信号をスピーカ２９へ出力し、各動作に適合した操作指示を利用者１４に対して音声で指示可能である。
【００４４】
ＣＰＵ８５はプリンタ４３およびタッチパネル４１にも接続されている。画像処理を施された静止画像は、ＣＰＵ８５から、プリント命令とともにプリンタ４３へ出力することにより、写真としてプリント可能である。また、ＣＰＵ８５はタッチパネル４１からの操作命令を受信し、利用者１４の操作に従った処理を行う。
【００４５】
ＣＰＵ８５はさらに、ＲＯＭ（Ｒｅａｄ  Ｏｎｌｙ  Ｍｅｍｏｒｙ）８７に接続されている。ＲＯＭ８７は、少なくとも、複数の画像処理プログラムと、証明写真の要求仕様とを記録する。要求仕様は、少なくとも、プリントすべき写真のサイズおよび当該写真における頭部の大きさおよび位置に関する情報を含む。ＣＰＵ８５は、ＲＯＭ８７にアクセスし、各種プログラムと写真の要求仕様とを、適宜読み込み、メモリ８４から取り込んだ静止顔画像に対して、要求仕様に適合した写真を作成するための画像処理を行う。
【００４６】
ＣＰＵ８５は、指紋取得部４０で取得された指紋データが認証に利用可能な指紋データであるか否かを判定し、認証に利用可能なデータである判定されたときには、その指紋データをメモリ８４へ認証用指紋データとして保存する。また、指紋取得部５０で取得された指紋データと認証用指紋データが一致しているか否かを判定するものである。
【００４７】
以上のように構成された本発明による顔画像取得装置１０の動作を以下説明する。図５は本発明による顔画像取得装置１０の動作を説明するフローチャートである。本発明の動作はすべて、スピーカ２９の音声メッセージに促されて行われる。利用者１４は、まず料金を投入する（ステップ１００）。これにより写真顔画像取得装置１０が起動する。次に記録媒体５１をカードライタ４２挿入口５２へ挿入する（ステップ１０１）。その後情報入力画面（キーボード）が表示されているタッチパネル４１から氏名、住民票コードなどの個人情報を入力する（ステップ１０２）。次に、指紋取得部４０において利用者の左右の人差し指それぞれから指紋のデジタルデータを仮に取得する(ステップ１０３)。コントローラ３３は、これらの指紋データから特徴点を抽出し、指紋認証に必要な特徴点が揃っているか否か、すなわちこれらの指紋データが、指紋認証に利用可能なデータであるか否かを判定する（ステップ１０４）。これらの指紋データが、指紋認証に利用可能なデータではないと判定された場合には、ステップ１０３へ戻り、利用者へ指紋デジタルデータの再取得を促す。これらの指紋データが、指紋認証に利用可能なデータであると判定された場合には、ステップ１０５へ進み、コントローラ３３のメモリ８４へこれらの指紋データを認証用指紋データとして保存する。
【００４８】
この後、デジタルカメラ２４で撮像している利用者の顔動画像を、ビデオスルーによりＣＲＴディスプレイ２６に表示する(ステップ１０６)。なおタッチパネル４１は操作入力画面に切り換えられる。利用者はＣＲＴディスプレイ２６に表示されている自身の顔画像を観察しながら、所望のタイミングで撮影ボタン４８にタッチする。（ステップ１０７）。この撮影指示動作により、デジタルカメラ２４により顔の静止画像が取得され、顔画像データとしてコントローラ３３のメモリ８４へ保存される（ステップ１０８）。
【００４９】
ステップ１０９では、メモリ８４に顔画像データが３枚保存されているか否かを判定する。３枚保存されていない場合には、ステップ１０７へ戻り、撮影ボタンへの再タッチを促す。顔画像データが３枚保存されている場合には、ステップ１１０へ進み、３枚の顔画像データをＣＲＴディスプレイ２６に表示する。ステップ１１１では利用者は、選択ボタン４９により好みの顔画像データを選択する。
【００５０】
ステップ１１２では、コントローラ３３は、カードライタ４２の挿入口５２に挿入されている記録媒体５１へ、ステップ１１１で選択された顔画像データと、認証用指紋データと、利用者の名前や、住民票コード番号あるいはパスポート番号等の個人情報と、本顔画像取得装置１０の固有識別番号および撮影日時データを対応させて、書き込む。
【００５１】
なお、利用者が希望する場合には、これらのデータを通信回線６２を介して所定の拠点、例えば管理センター６６へ転送してもよいし、あるいはプリントアウトしてもよい。
【００５２】
なお、利用者１４が料金を投入すると（ステップ１００）、監視カメラ７４による監視画像の撮影が開始され、記録媒体５１へ顔画像データが記録されると（ステップ１１１）と、監視画像の撮影が終了する。前述したように、監視用カメラ７４で撮影された監視画像は、コントローラ３３に出力される。また、コントローラ３３では、監視用カメラ７４で撮影された画像の内、指紋データを取得した時（ステップ１０３）の静止監視画像データを、利用者の個人情報、認証用指紋データ、顔画像取得装置１０の固有識別番号あるいは撮影日時データと対応させて、所定期間保存する。
【００５３】
また、静止監視画像データは、利用者の個人情報、認証用指紋データ、顔画像取得装置１０の固有識別番号あるいは撮影日時データと対応させて、モデム４４およびインターネット６４を介して遠方の管理センター６６に送信してもよい。管理センター６６では、これらの監視画像を保持するとともに、モニタに表示してリアルタイムで観察してもよい。あるいは監視画像をコンピュータ等により解析し、監視画像の画像内容に異常があった場合には、報知する、あるいは顔画像取得装置１０の動作を自動停止させてもよい。静止監視画像データとしては、全体の画像に加え、手を撮影した部分の画像を拡大した画像を含むものであってもよい。なお、このように管理センター６６にて、監視画像をモニタする場合には、動画の状態の監視画像をモニタしてもよい。
【００５４】
以上の説明で明らかなように、本発明の第１の実施の形態である顔画像取得装置１０は、利用者１４の指紋データを取得する際に、利用者１４の手および利用者の顔を同時かつともに撮影した監視画像を取得するので、利用者のすりかわりと共に、手に属する生体情報の不正取得をも防止できる。
【００５５】
さらに、撮影された監視画像を所定期間の間保存するため、監視画像取得後に必要に応じて、監視画像を見ることができる。また、利用者の手の部分の拡大画像を取得すれば、監視画像を観察する際に、不正取得を容易に見破ることができ、より確実に指紋データの不正取得を防止することができる。
【００５６】
次に、図６を用いて本発明の第２の実施の形態である顔画像取得装置１１について説明する。本顔画像取得装置１１は、顔画像取得用のデジタルカメラ９１が監視画像をも取得するものである。なお図１に示す第１の具体的な実施の形態である顔画像取得装置１０と同等の要素については同番号を付し、特に必要のない限りその説明は省略する。
【００５７】
デジタルカメラ９１のレンズの画角βは広く、撮影室１２の背面壁２７の高さ０ｃｍ〜１７０ｃｍ程度の範囲をカバーする。したがって、利用者１４が椅子１６に座った時、少なくとも頭部１５、胸部１７および指紋取得部４０を確実にカバーできる。
【００５８】
デジタルカメラ９１はコントローラ９０へ接続されている。なお、デジタルカメラ９１およびコントローラ９０の動作は、監視画像を取得すること以外は、第１の実施の形態におけるデジタルカメラ２４およびコントローラ３３と同一であり、同一動作部分の説明は省略する。
【００５９】
まず、利用者１４が料金を投入すると、デジタルカメラ９１による画像の撮影が開始され、記録媒体５１へ顔画像データが記録されると、画像の撮影が終了する。前述したように、デジタルカメラ９１で撮影された画像は、コントローラ３３に出力される。また、コントローラ３３では、デジタルカメラ９１で撮影された画像の内、指紋データを取得した時の画像データから、利用者の顔の部分の画像を除き、静止監視画像データとして、利用者の個人情報、認証用指紋データ、顔画像取得装置１０の固有識別番号あるいは撮影日時データと対応させて所定期間保存する。なお、第１の実施の形態と同様に、静止監視画像データをモデム４４およびインターネット６４を介して遠方の管理センター６６に送信してもよい。また静止監視画像データにおいては、利用者の手の部分の画像が拡大されていてもよい。
【００６０】
以上の説明で明らかなように、本発明の第２の実施の形態である顔画像取得装置１１では、第１の実施の形態と同様に、利用者のすりかわりと共に、指紋の不正取得をも防止できる。また、デジタルカメラ９１で、顔画像と監視画像の両者を取得でき、装置の構成が簡易化できる。
【００６１】
さらに、利用者の顔部分の画像を除いた静止監視画像データを保存するため、保存された静止監視画像データから利用差の顔画像が流出することを防止できる。なお、指紋を取得する際の静止画像から、記録媒体５１に保存する顔画像を切り取り、残りの画像を監視画像として保存してもよい。
【００６２】
なお、本実施の形態の変形例として、図７に示すように、利用者の手の部分の拡大画像を取得するカメラ９２を設けたものも考えられる。カメラ９２で取得された手の部分の拡大画像は、コントローラ９０へ出力され、静止監視画像データの一部として組み込まれ、保存あるいは転送される。精密な手の部分の監視画像を取得できるため、手に属する生体情報の不正取得をより確実に防止することができる。
【００６３】
また、各実施形態においては、広角カメラを用いて静止監視画像を取得したが、通常のカメラを用いて、指紋取得時にこのカメラを手の部分を撮影する状態から、徐々に顔の部分を撮影する状態へパンさせることにより監視画像を取得してもよい。すなわち、利用者の手および顔の画像を連続的に撮影した動画画像を、監視画像として用いてもよい。
【図面の簡単な説明】
【００６４】
【図１】本発明の第１の実施の形態である顔画像取得装置の概略構成図
【図２】図１に示す顔画像取得装置の外観図
【図３】走査入力画面の説明図
【図４】図１に示すデジタルカメラおよびコントローラの機能ブロック図である。
【図５】図１に示す顔画像取得装置の動作を説明するフローチャートである。
【図６】本発明の第２の実施の形態である顔画像取得装置の概略構成図
【図７】本発明の顔画像取得装置の変形例の概略構成図
【符号の説明】
【００６５】
１０、１１    顔画像取得装置
２４、９１    デジタルカメラ
３３、９０    コントローラ
４０    指紋取得部
４１    タッチパネル
４２    カードライタ
５１    記録媒体
６６    管理センター
７４    監視カメラ
９２    カメラ
【図１】
2007102536.tif 000003
【図２】
2007102536.tif 000004
【図３】
2007102536.tif 000005
【図４】
2007102536.tif 000006
【図５】
2007102536.tif 000007
【図６】
2007102536.tif 000008
【図７】
2007102536.tif 000009